(57)【要約】【課題】放射線の照射と放射線画像の生成を高速で繰り返し行う動画撮影において、異常が発生した場合の被写体の被曝量を従来よりも抑えられるようにする。【解決手段】放射線画像撮影システム１００が備えるコンソール３は、放射線画像を所定周期で繰り返し生成する放射線画像撮影装置２から複数の放射線画像を取得することが可能な取得手段と、取得手段が取得した放射線画像の撮影時に生じた異常の有無を判定する判定手段と、判定手段が異常ありと判定した場合に、所定の異常時動作を行う異常時動作手段と、を備える。【選択図】図６
2020048864.tif 000002
【特許請求の範囲】
【請求項１】
放射線画像を所定周期で繰り返し生成する放射線画像撮影装置から複数の放射線画像を取得することが可能な取得手段と、
前記取得手段が取得した放射線画像の撮影時に生じた異常の有無を判定する判定手段と、
前記判定手段が異常ありと判定した場合に、所定の異常時動作を行う異常時動作手段と、を備えることを特徴とする撮影制御装置。
【請求項２】
前記判定手段は、前記放射線画像における所定画素の画素値に基づいて放射線未照射又は線量不足の有無を判定することを特徴とする請求項１に記載の撮影制御装置。
【請求項３】
前記判定手段は、前記放射線画像に基づいて被写体の体動の有無を判定することを特徴とする請求項１に記載の撮影制御装置。
【請求項４】
前記異常時動作手段は、前記判定手段が異常ありと判定した場合に、放射線を照射する放射線画像発生装置が前記放射線画像撮影装置へ放射線を照射するための制御を停止させることが可能であることを特徴とする請求項１から請求項３のいずれか一項に記載の撮影制御装置。
【請求項５】
前記異常時動作手段は、前記判定手段が異常ありと判定した場合に、当該異常ありと判定されたタイミングで生成された前記放射線画像を削除することを特徴とする請求項１から請求項３のいずれか一項に記載の撮影制御装置。
【請求項６】
前記取得手段が取得した前記放射線画像を出力可能な出力部を備え、
前記異常時動作手段は、前記判定手段が異常ありと判定した場合に、当該異常ありと判定されたタイミングで生成された前記放射線画像を前記出力部に出力させないことを特徴とする請求項１から請求項３のいずれか一項に記載の撮影制御装置。
【請求項７】
前記取得手段が取得した前記放射線画像を解析する解析手段を備え、
前記異常時動作手段は、前記判定手段が異常ありと判定した場合に、当該異常ありと判定されたタイミングで生成された前記放射線画像の前記解析手段による解析を行わないことを特徴とする請求項１から請求項３のいずれか一項に記載の撮影制御装置。
【請求項８】
撮影予定枚数又は撮影予定期間を前記放射線発生装置に設定することが可能な設定手段と、
ユーザーが前記放射線発生装置に行っている放射線の照射指示の有無を監視することが可能な監視手段と、を備え、
前記判定手段は、照射指示無しとなったタイミングが、これまでに撮影された前記放射線画像の枚数が前記撮影予定枚数に達する前であるか否か、又は撮影が開始されてからの時間が前記撮影予定期間に達する前であるか否かに基づいてユーザーによる撮影指示の中断の有無を判定することを特徴とする請求項１に記載の撮影制御装置。
【請求項９】
前記異常時動作手段は、前記判定手段が異常ありと判定した場合に、前記取得手段が最後に取得した前記放射線画像を削除することを特徴とする請求項８に記載の撮影制御装置。
【請求項１０】
受けた放射線の線量に応じた電荷を生成する放射線検出素子が、二次元状に複数配列された放射線検出部と、
前記放射線検出素子への電荷の蓄積及び前記放射線検出素子に蓄積された電荷の読み出しを所定周期で交互に繰り返す撮影手段と、
前記撮影手段が読み出した電荷の蓄積時に生じた異常の有無を判定する判定手段と、
前記判定手段が異常ありと判定した場合に、所定の異常時動作を行う異常時動作手段と、を備えることを特徴とする放射線画像撮影装置。
【請求項１１】
前記異常時動作手段は、前記判定手段が異常ありと判定した場合に、当該異常ありと判定されたタイミングで蓄積された電荷に基づく前記放射線画像を削除することを特徴とする請求項１０に記載の放射線画像撮影装置。
【請求項１２】
前記異常時動作手段は、前記判定手段が異常ありと判定した場合に、当該異常ありと判定されたタイミングで蓄積された電荷に基づく前記放射線画像を生成させないことを特徴とする請求項１０に記載の放射線画像撮影装置。
【請求項１３】
放射線画像を所定周期で繰り返し生成する放射線画像撮影装置と、
請求項１から９に記載の撮影制御装置と、を備えることを特徴とする放射線画像撮影システム。
【発明の詳細な説明】
【技術分野】
【０００１】
本発明は、撮影制御装置、放射線画像撮影装置及び放射線画像撮影システムに関する。
【背景技術】
【０００２】
放射線を発生させる放射線発生装置と、受けた放射線の線量に応じた放射線画像を生成する放射線画像撮影装置と、を備えた放射線画像撮影システムにおいては、静止画の撮影だけでなく、放射線の照射と放射線画像の生成を高速で繰り返し行う動画撮影（シリアル撮影ともいう）を行うことが可能なものが開発されてきている。動画撮影で得られた動画は、解析診断ワークステーションに転送され、呼吸、血流等の解析に用いられる（特許文献１，２参照）。
ところで、動画撮影を行うためには、放射線発生装置が放射線を発生させるタイミングと放射線画像撮影装置が放射線画像を生成するタイミングとの同期をとる必要がある。これらの同期をとる方法には、例えば放射線発生装置と放射線画像撮影装置との間での制御信号のやり取り等がある。（特許文献３参照）。
【０００３】
また、動画撮影においては、放射線発生装置に放射線照射を指示する制御信号が入力されるタイミングと、放射線発生装置が制御信号の入力に応じて放射線照射を開始するタイミングとがずれてしまう（放射線照射が遅延する）ことがある。このタイミングのずれは、動画の品質に影響を及ぼしてしまうことがあった。
こうした課題に鑑み、近年、放射線発生装置からの信号に基づいて放射線の照射を指示する制御信号が放射線発生装置へ出力された出力タイミングを取得し、放射線画像撮影装置が読み出した出力値及び読み出しに要した時間に基づいて放射線発生装置が放射線を発生させた動作タイミングを取得し、取得した出力タイミング及び動作タイミングに基づいて放射線発生装置の動作の遅延時間を求め、求めた遅延時間に基づいて放射線画像撮影装置を制御する（例えば制御信号の出力タイミングを早める）技術が提案されている（特許文献４参照）。
【先行技術文献】
【特許文献】
【０００４】
【特許文献１】特開２０１４‐１４７８４４号公報
【特許文献２】特開２０１８‐０６８４００号公報
【特許文献３】特開２０１７‐０１８７０５号公報
【特許文献４】特許第５５９７０５５号公報
【発明の概要】
【発明が解決しようとする課題】
【０００５】
動画撮影中に発生し得る問題には、上記特許文献４に記載された放射線照射の遅延の他に、例えば放射線発生装置又は放射線画像撮影装置の性能やこれらの連携方式に起因して発生する、放射線未照射や低線量の（撮影前に指定した線量より低い）曝射といった問題もある。
因みに、こうした未照射や低線量の問題は、ユーザーが誤って曝射スイッチを途中で解放してしまうことによっても発生し得る。
放射線が照射されずに生成された未露光画像又は低線量の放射線が照射されて生成された低露光画像が動画を構成するフレームとして混入すると、解析の精度が低下してしまうため、場合によっては同じ条件で動画の撮影をやり直すこととなる。
【０００６】
また、動画撮影は、撮影時間が静止画撮影よりも長時間（例えば十数秒以上）に亘る。このため、動画撮影においては、撮影の間、被写体が静止状態を維持することができなくなって動いてしまう（体動が発生する）ことがある。
動画の撮影後、ユーザーは、動画を再生して、上述した問題に起因する異常画像の有無をチェックする。その際に異常画像が見つかった場合は、同じ条件で動画の撮影をやり直すこととなる。
撮影をやり直すと、被写体は一回の動画撮影分だけ余計に被曝することになってしまう。
【０００７】
本発明は、上記の点を鑑みてなされたものであり、放射線の照射と放射線画像の生成を高速で繰り返し行う動画撮影において、異常が発生した場合の被写体の被曝量を従来よりも抑えられるようにすることを目的とする。
【課題を解決するための手段】
【０００８】
上記課題を解決するため、本発明の撮影制御装置は、
放射線画像を所定周期で繰り返し生成する放射線画像撮影装置から放射線画像を繰り返し取得することが可能な取得手段と、
前記取得手段が取得した放射線画像の撮影時に生じた異常の有無を判定する判定手段と、
前記判定手段が異常ありと判定した場合に、所定の異常時動作を行う異常時動作手段と、を備えることを特徴とする。
【０００９】
また、本発明の放射線画像撮影装置は、
受けた放射線の線量に応じた電荷を生成する放射線検出素子が、二次元状に複数配列された放射線検出部と、
前記放射線検出素子への電荷の蓄積及び前記放射線検出素子に蓄積された電荷の読み出しを所定周期で交互に繰り返す撮影手段と、
前記撮影手段が読み出した電荷の蓄積時に生じた異常の有無を判定する判定手段と、
前記判定手段が異常ありと判定した場合に、所定の異常時動作を行う異常時動作手段と、を備えることを特徴とする。
【発明の効果】
【００１０】
本発明によれば、放射線の照射と放射線画像の生成を高速で繰り返し行う動画撮影において、異常が発生した場合の被写体の被曝量を従来よりも抑えることができる。
【図面の簡単な説明】
【００１１】
【図１】本発明の第一実施形態（第二〜第四実施形態）に係る放射線画像撮影システムを表すブロック図である。
【図２】図１の放射線画像撮影システムが備える放射線発生装置の構成を表すブロック図である。
【図３】図１の放射線画像撮影システムが備える放射線画像撮影装置の構成を表すブロック図である。
【図４】第一実施形態に係る放射線画像撮影システムが備えるコンソールの構成を表すブロック図である。
【図５】図１の放射線画像撮影システムを用いて動画撮影を行う際の放射線発生装置及び放射線画像撮影装置の動作を表すタイミングチャートである。
【図６】第一実施形態に係る放射線画像撮影システムを用いて動画撮影を行う際のコンソールの動作を表すフローチャートである。
【図７】第二実施形態に係る放射線画像撮影システムを用いて動画撮影を行う際のコンソールの動作を表すフローチャートである。
【図８】第三実施形態に係る放射線画像撮影システムを用いて動画撮影を行う際のコンソールの動作を表すフローチャートである。
【発明を実施するための形態】
【００１２】
＜第一実施形態＞
以下、本発明の第一実施形態について、図１〜６を参照しながら詳細に説明する。
ただし、本発明の範囲は、以下の実施形態に限定されるものではなく、本発明の趣旨を逸脱しない範囲内で適宜変更可能であることは言うまでもない。
【００１３】
〔放射線画像撮影システム〕
まず、本実施形態に係る放射線画像撮影システムの構成について説明する。図１は放射線画像撮影システム１００の構成を表すブロック図である。なお、図１の括弧書きで示された符号は、後述する第二〜第四実施形態のものである。
【００１４】
本実施形態の放射線画像撮影システム（以下システム１００）は、図１に示したように、放射線発生装置（以下、発生装置１）と、放射線画像撮影装置（以下、撮影装置２）と、コンソール３と、を備えている。
また、システム１００は画像保存通信システム（Picture Archiving and Communication System：以下ＰＡＣＳ１１０）、解析診断ワークステーション（ＷＳ）１２０等と通信ネットワークを介して通信することが可能となっている。
【００１５】
なお、システム１００は、図示しない病院情報システム（Hospital Information System：以下ＨＩＳ）や、放射線科情報システム（Radiology Information System：以下ＲＩＳ）、汎用クライアント端末等と通信可能となっていてもよい。
また、システム１００は、上記の他、無線通信用のアクセスポイント４や、撮影装置２の充電やデータの送受信を行うためのクレードル５、撮影装置２を支持する立位撮影用の撮影台６Ａと臥位撮影用の撮影台６Ｂの少なくとも一方を備えていてもよい。
また、図１には、システム１００が施設内（撮影室、操作室）に設置された場合を例示したが、回診車等に組み込まれた移動可能な構成としてもよい。
【００１６】
発生装置１は、ジェネレーター１１と、曝射スイッチ１２と、放射線源（管球）１３と、を備え、撮影装置２へ放射線を照射することが可能に構成されている。
また、発生装置１は、撮影装置２やコンソール３と有線又は無線で通信可能となっている。
なお、発生装置１は、上記の他、放射線発生コントローラー１４や、インターフェースユニット１５等を備えていてもよい。
また、図１には、曝射スイッチ１２を放射線発生コントローラー１４に接続した場合を例示したが、曝射スイッチ１２はジェネレーター１１に直接接続されていてもよい（図２参照）。
また、放射線発生コントローラー１４は、コンソール３と一体になっていてもよい。
この発生装置１の詳細については後述する。
【００１７】
撮影装置２は、受けた放射線の線量に応じた放射線画像を生成することが可能に構成されている。
また、撮影装置２は、コンソール３と有線又は無線で通信可能となっている。
なお、図１には、撮影装置２として、パネル状をした可搬型（カセッテ型）のものを例示したが、撮影装置２は、施設内や撮影台６Ａ，６Ｂに据え付けられていてもよいし、パネル以外の形状をしていてもよい。
この撮影装置２の詳細については後述する。
【００１８】
コンソール３は、本発明における撮影制御装置をなすものであり、ＰＣや携帯端末、あるいは専用の装置によって構成されている。
また、コンソール３は、発生装置１や撮影装置２等と有線又は無線で通信可能となっている。
なお、コンソール３に撮影制御装置としての機能を持たせるのではなく、撮影制御装置をコンソールから独立した装置として構成してもよい。
このコンソール３の詳細については後述する。
【００１９】
〔放射線発生装置〕
次に、上記システム１００が備える発生装置１の詳細について説明する。図２は、発生装置１の構成を表すブロック図である。
【００２０】
発生装置１は、図１，２に示したように、ジェネレーター１１と、曝射スイッチ１２と、放射線源１３と、を備えている。
【００２１】
ジェネレーター１１は、発生側制御部１１ａと、通信部１１ｂと、発生側記憶部１１ｃと、高電圧発生部１１ｄと、を備えている。
【００２２】
発生側制御部１１ａは、ＣＰＵ（Central Processing Unit）、ＲＡＭ（Random Access Memory）等を備えている。そして、ＣＰＵが、他の装置（コンソール３等）からの制御信号等に基づいて、発生側記憶部１１ｃに記憶されている各種プログラムを読出してＲＡＭ内に展開し、展開されたプログラムに従って各種処理を実行し、発生装置１の各部の動作を統括的に制御するようになっている。
【００２３】
通信部１１ｂは、ネットワークインターフェース等で構成され、他の装置（撮影装置２やコンソール３）との間で各種制御信号や、放射線画像のデータを含む各種データ等を送受信することが可能となっている。
【００２４】
発生側記憶部１１ｃは、ＨＤＤ（Hard Disk Drive）や半導体メモリー等により構成され、各種処理プログラム、及び当該処理プログラムの実行に必要なパラメーターやファイル等を記憶している。
【００２５】
高電圧発生部１１ｄは、設定された撮影条件（例えば静止画撮影、動画撮影等の撮影方法や、撮影対象部位、体格等の被検体に関する条件、管電圧や管電流、照射時間、電流時間積（ｍＡｓ値）、フレームレート（ｆｐｓ）、撮影予定枚数又は撮影予定期間等の放射線の照射に関する条件）に応じた電圧を放射線源１３へ印加するようになっている。
【００２６】
曝射スイッチ１２は、二段階操作が可能に構成されている。
放射線源１３は、高電圧発生部１１ｄから電圧が印加されると、印加された電圧に応じた線量の放射線（例えばＸ線等）を発生させるようになっている。
【００２７】
このように構成されたジェネレーター１１の発生側制御部１１ａは、曝射スイッチ１２の一段目が操作されると、通信部１１ｂを介して撮影装置２へ出力している照射準備（Prepare）信号をＯＮにし、一段目の操作が解除されると照射準備信号をＯＦＦにするようになっている。
また、発生側制御部１１ａは、曝射スイッチ１２の二段目が操作されると、通信部１１ｂを介して撮影装置２へ出力している照射確認（Exposure）信号をＯＮにし、二段目の操作が解除されると照射確認信号をＯＦＦにするようになっている。
【００２８】
また、発生側制御部１１ａは、照射確認信号をＯＮにしている状態で、通信部１１ｂを介して撮影装置２から入力されている蓄積可能（Ready）信号がＯＮになると、高電圧発生部１１ｄに放射線源１３へ所定の電圧を印加させるようになっている。これにより、放射線源１３が所定線量の放射線を発生させることとなる。
静止画撮影の場合は、照射確認信号をＯＮにしている間に蓄積可能信号が一回だけＯＮにされるのに対し、動画撮影の場合は、照射確認信号をＯＮにしている間に蓄積可能信号のＯＮ／ＯＦＦが所定周期（例えば１５ｆｐｓ）で繰り返される。このため、高電圧発生部１１ｄによる電圧の印加（放射線源１３からの放射線の発生）も所定周期で繰り返されることになる。
【００２９】
〔放射線画像撮影装置〕
次に、上記システム１００が備える撮影装置２の詳細について説明する。図３は撮影装置２の構成を表すブロック図である。なお、図３の括弧書きで示された符号は、後述する第四実施形態のものである。
【００３０】
撮影装置２は、図３に示したように、撮影側制御部２１、放射線検出部２２、読出し部２３、通信部２４、撮影側記憶部２５、撮影装置２の各部を接続するバス２６を備えて構成されている。
【００３１】
撮影側制御部２１は、ＣＰＵ、ＲＡＭ等を備えている。そして、ＣＰＵが、他の装置（コンソール３等）からの制御信号等に基づいて、撮影側記憶部２５に記憶されている各種プログラムを読出してＲＡＭ内に展開し、展開されたプログラムに従って各種処理を実行し、撮影装置２の各部の動作を統括的に制御するようになっている。
【００３２】
放射線検出部２２は、受けた放射線の線量に応じた電荷を生成する放射線検出素子、及び放射線検出素子と読出し部２３との間のＯＮ／ＯＦＦを切り替えるスイッチ素子が二次元状（マトリクス状）に複数配列された基板を有している。
なお、放射線検出部２２は、シンチレーター等を内蔵し、照射された放射線をシンチレーターで可視光等の他の波長の光に変換し、変換した光に応じた電荷を発生させるもの（いわゆる間接型）であってもよいし、シンチレーター等を介さずに放射線から直接電荷を発生させるもの（いわゆる直接型）であってもよい。
【００３３】
読出し部２３は、各放射線検出素子から放出された電荷の量を信号値として読出し、得られた複数の信号値に基づいて放射線画像を生成することが可能に構成されている。
【００３４】
通信部２４は、ネットワークインターフェース等で構成され、他の装置（発生装置１やコンソール３）との間で各種制御信号や、放射線画像のデータを含む各種データを送受信することが可能となっている。
【００３５】
撮影側記憶部２５は、不揮発性の半導体メモリーやハードディスク等により構成され、撮影側制御部２１が実行する各種プログラムやプログラムにより処理の実行に必要なパラメーター等を記憶している。
また、撮影側記憶部２５は、読出し部２３が生成した画像データを含む各種データを記憶することが可能となっている。
【００３６】
このように構成された撮影装置２の撮影側制御部２１は、通信部２４を介して発生装置１から入力されている照射確認信号がＯＮになったことに基づいて、蓄積可能信号をＯＮにし、所定時間経過後にＯＦＦにするようになっている。
静止画撮影の場合は、発生装置１から入力されている照射確認信号がＯＮになっている間に蓄積可能信号のＯＮ／ＯＦＦを一回だけ行うのに対し、動画撮影の場合は、照射確認信号がＯＮになっている間に蓄積可能信号のＯＮ／ＯＦＦを所定周期（例えば１５回／秒）で繰り返すようになっている。
また、撮影側制御部２１は、照射確認信号がＯＦＦになったことに基づいて、蓄積可能信号をＯＮにする動作を停止するようになっている。
【００３７】
また、撮影側制御部２１は、蓄積可能信号をＯＮにする度に放射線検出部２２の各スイッチ素子をＯＦＦにして、各放射線検出素子を電荷の蓄積が可能な状態とし、蓄積可能信号がＯＦＦにする度に放射線検出部２２の各スイッチ素子をＯＮにして、放射線検出素子に蓄積されていた電荷を読出し部２３へ放出するようになっている。
動画撮影の場合、撮影側制御部２１は、蓄積可能信号のＯＮ／ＯＦＦを所定周期で繰り返するため、放射線検出素子への電荷の蓄積及び放射線検出素子に蓄積された電荷の読み出し（放射線画像の生成）も所定周期で繰り返すこととなる。すなわち、撮影装置２の撮影側制御部２１、放射線検出部２２及び読出し部２３は、本発明における撮影手段をなす。
以下、動画撮影で生成された動画を構成する各放射線画像をフレーム画像と称する場合がある。
【００３８】
〔コンソール〕
次に、上記システム１００が備えるコンソール３の詳細について説明する。図４はコンソール３の構成を表すブロック図である。なお、図４の括弧書きで示された符号は、後述する第二，第三実施形態のものである。
【００３９】
コンソール３は、図４に示したように、制御部３１、通信部３２、記憶部３３、表示部３４、操作部３５、コンソール３の各部を接続するバス３６を備えて構成されている。
【００４０】
制御部３１は、ＣＰＵ、ＲＡＭ等を備えている。そして、ＣＰＵが、他の装置（発生装置１や撮影装置２）からの制御信号や操作部３５の操作に基づいて、記憶部３３に記憶されている各種プログラムを読出してＲＡＭ内に展開し、展開されたプログラムに従って各種処理を実行し、コンソール３の各部の動作を統括的に制御する。
【００４１】
通信部３２は、ネットワークインターフェース等で構成され、他のシステム（ＰＡＣＳ１１０やＨＩＳ、ＲＩＳ等）や他の装置（発生装置１や撮影装置２）との間で各種制御信号や、放射線画像のデータを含む各種データ等を送受信することが可能となっている。
【００４２】
記憶部３３は、不揮発性の半導体メモリーやハードディスク等により構成され、制御部３１が実行する各種プログラムやプログラムにより処理の実行に必要なパラメーター等を記憶している。
また、記憶部３３は、撮影装置２から受信した放射線画像のデータを記憶することが可能となっている。
【００４３】
表示部３４は、ＬＣＤ（Liquid Crystal Display）やＣＲＴ（Cathode Ray Tube）等のモニターにより構成され、制御部３１から入力される表示信号の指示に従って、放射線画像や、操作部３５からの入力指示、各種データ等を表示する。
【００４４】
操作部３５は、カーソルキー、数字入力キー、及び各種機能キー等を備えたキーボードと、マウス等のポインティングデバイスを備えて構成され、キーボードに対するキー操作やマウス操作により入力された指示信号を制御部３１に出力する。
また、操作部３５は、表示部３４の表示画面にタッチパネルを備えても良く、この場合、タッチパネルを介して入力された指示信号を制御部３１に出力する。
【００４５】
このように構成された本実施形態に係るコンソールの制御部３１は、他のシステム（ＲＩＳ等）から取得した撮影オーダーやユーザーが操作部３５に行った操作に基づいて、撮影条件（例えば静止画撮影、動画撮影等の撮影方法や、撮影対象部位、体格等の被検体に関する条件、管電圧や管電流、照射時間、電流時間積（ｍＡｓ値）、フレームレート（ｆｐｓ）、撮影予定枚数又は撮影予定期間等の放射線の照射に関する条件）を設定する機能を有している。
このような機能を有する本実施形態に係る制御部３１は、本発明における設定手段をなす。
【００４６】
また、制御部３１は、撮影装置２から通信部３２を介して放射線画像のデータを取得する機能を有している。
本実施形態においては、動画撮影の場合、撮影装置２が生成する複数のフレーム画像のデータを、撮影装置２が転送し次第、順次取得するようになっている。
すなわち、制御部３１は、本発明における取得手段をなす。
【００４７】
また、制御部３１は、取得した放射線画像を出力部から出力させる機能を有している。
通信部３２を出力部としている場合には、放射線画像のデータを、通信部３２を介して他のシステム（ＰＡＣＳ１１０や解析診断ＷＳ１２０等）へ送信する。
一方、表示部３４を出力部としている場合には、放射線画像を表示部３４に表示させる。
【００４８】
また、制御部３１は、取得した放射線画像の撮影時に生じた異常の有無を判定する機能を有している。
動画撮影の場合、複数のフレーム画像を順次取得することになるため、フレーム画像を取得する度に判定を繰り返し行うこととなる。
本実施形態においては、異常の有無として、下記（１）又は（２）の判定を行う。
（１）フレーム画像における所定画素の画素値に基づいて放射線未照射又は線量不足の有無を判定する。
（２）フレーム画像に基づいて被写体の体動の有無を判定する。
【００４９】
（１）の判定を行う場合には、例えば、画素値が所定値未満であれば放射線未照射又は線量不足であると判断し、所定値以上であれば放射線未照射でも線量不足でもないと判断する。
判断に用いる画素値を抽出する画素は、フレームの中央部から一つ選択してもよいし、フレームの複数領域（例えばフレームを右上、左上、右下、左下の４領域）からそれぞれ一つずつ選択してもよい。
その他、フレームの一本の行もしくは列を構成する複数の画素を選択してもよいし、複数の行及び列に跨る複数の画素を選択してもよい。
画素を複数選択する場合は、各画素の画素値の平均値や中央値を判断に用いるのが好ましい。
【００５０】
（２）の判定では、例えば、フレーム画像における被写体の特定部位の移動量が所定値を以上であった、あるいはフレーム画像における被写体の輪郭がフレーム画像の縁に達した場合に体動があったと判断し、特定部位の移動量が所定値未満であった、あるいは輪郭がフレーム画像の縁に達していないと判断した場合に体動は無かったと判断する。
以上のような機能を有する制御部３１は、本発明における判定手段をなす。
【００５１】
また、制御部３１は、異常ありと判定した場合に、所定の異常時動作を行う機能を有している。
本実施形態においては、異常時動作として、発生装置１が撮影装置２へ放射線を照射するための制御を停止させるようになっている。具体的には、撮影装置２による蓄積可能信号を繰り返しＯＮにする動作を停止させる。
なお、異常時動作として、曝射スイッチ１２の２段目が操作されても、発生装置１が照射確認信号をＯＮにしないようにしてもよい。
以上のような機能を有する制御部３１は、本発明における異常時動作手段をなす。
【００５２】
〔撮影の流れ〕
次に、上記システム１００を用いた動画撮影の流れについて説明する。図５はシステム１００を用いて動画撮影を行う際の発生装置１及び撮影装置２の動作を表すタイミングチャート、図６はシステム１００を用いて動画撮影を行う際のコンソール３の動作を表すフローチャートである。
【００５３】
まず、ユーザーが撮影準備を行う。具体的には、被写体の配置や、撮影条件の設定（動画撮影の選択、動画撮影用の管電圧、管電流、フレームレート、撮影予定枚数又は撮影予定期間の入力等）を行う。
撮影準備の完了後、ユーザーが発生装置１の曝射スイッチ１２の一段目を操作する。すると、図５に示したように、発生装置１が撮影装置２へ出力している照射準備信号をＯＮにする（ｔ１）。
その後、ユーザーが曝射スイッチ１２の二段目を操作する。すると、発生装置１が撮影装置２へ出力している照射確認信号をＯＮにする（ｔ２）。
【００５４】
照射確認信号がＯＮにされると、撮影装置２が発生装置１へ出力している蓄積可能信号をＯＮにする（ｔ３）。
また、このとき、撮影装置２がスイッチ素子をＯＦＦにし、放射線検出素子に電荷の蓄積が可能な状態とする。
その後、発生装置１が撮影装置２へ放射線を照射する（ｔ４）。すると、撮影装置２が照射された放射線に応じた電荷を各放射線検出素子に蓄積する。
その後、撮影装置２が発生装置１へ出力している蓄積可能信号をＯＦＦにする（ｔ５）。すると、撮影装置２が各放射線検出素子に蓄積していた電荷を読み出してフレーム画像を生成する。そして、撮影装置２がフレーム画像をコンソール３へ転送する。
【００５５】
その後、図６に示したように、コンソール３がフレーム画像を取得し（ステップＳ１）、当該フレーム画像の撮影時に生じた異常の有無を判定する（ステップＳ２）。ここで、コンソール３が異常なしと判定した場合（ステップＳ２；Ｎｏ）は、判定対象のフレーム画像のフレーム番号が撮影予定枚数と等しい（ステップＳ３；Ｙｅｓ）と判定するまでは、ステップＳ１へ戻る。
一方、ステップＳ２において、コンソール３が異常ありと判定した場合（ステップＳ２；Ｙｅｓ）は、撮影装置２による蓄積可能信号をＯＮにする動作を停止させ（ステップＳ４）、取得したフレーム画像で構成された動画を出力する（ステップＳ５）。そして、放射線の照射中断を発生装置１へ通知する。
【００５６】
コンソール３が上述したような制御を行うことにより、先のフレームで異常が検出されない限りは、図５に示したように、撮影装置２による蓄積可能信号のＯＮ（ｔ６、ｔ９、ｔ１２・・）、発生装置１による放射線照射（ｔ７、ｔ１０、ｔ１３・・）及び撮影装置２によるフレーム画像の生成が撮影予定枚数のフレーム画像が生成されるまで繰り返し行われる。
一方、先のフレームで異常が検出された場合には、発生装置１及び撮影装置２は、以降の動作を直ちに停止する。
【００５７】
その後、ユーザーが発生装置１の曝射スイッチ１２の二段目の操作を解除する。すると、図５に示したように、発生装置１が撮影装置２へ出力している照射確認信号をＯＦＦにする（ｔ１５）。
その後、ユーザーが曝射スイッチ１２の一段目の操作を解除する。すると、発生装置１が撮影装置２へ出力している照射準備信号をＯＦＦにする（ｔ１６）。
【００５８】
以上説明してきたように、本実施形態に係るシステム１００が備えるコンソール３は、フレーム画像を所定周期で繰り返し生成する撮影装置２から複数の放射線画像を取得し、取得した放射線画像の撮影時に生じた異常の有無を判定し、異常ありと判定した場合に、発生装置１が撮影装置２へ放射線を照射するための制御を停止させるようになっている。
【００５９】
従来は、撮影予定枚数の撮影を終えた後、動画を解析し、それをユーザーが確認することで異常の有無を判定していたため、撮影に失敗し再撮影を行うこととなった場合、被写体が再撮影終了までに被曝する放射線の線量は、失敗なく撮影を終えることができた場合の２倍となってしまっていた。しかし、本実施形態に係る放射線画像撮影システム１００を用いた撮影では、照射許可が停止されると、撮影はその場で終了となるため、再撮影を行った場合であっても、被写体が再撮影終了までに被曝する放射線の線量は、撮影予定枚数から撮影中止時の撮影枚数を差し引いた枚数のフレームを撮影するのに必要な線量の分だけ少なくなる。
このため、動画撮影において、異常が発生した場合の被写体の被曝量を従来よりも抑えることができる。
【００６０】
また、解析には長時間（例えば数十分）を要するため、再撮影が必要か否かを判断するころには、被写体が撮影場所から遠く離れてしまうことが多い。このため、いざ再撮影が必要になると、再度撮影場所まで移動しなければならず、大きな負担となっていた。
しかし、本実施形態に係るシステム１００Ａを用いた撮影では、被写体が撮影場所を離れる前に再撮影の必要か否かを判断できるため、こうした被写体の負担の増加を防ぐことができる。
【００６１】
＜第二実施形態＞
次に、本発明の第二実施形態について説明する。ここでは、第一実施形態と同様の構成には同一の符号を付し、その説明を省略する。
【００６２】
本実施形態の放射線画像撮影システム（以下システム１００Ａ）は、コンソール３Ａの動作が、第一実施形態に係るシステム１００と異なっている。
なお、コンソール３Ａ以外の構成は、第一実施形態と同様である。
このため、本実施形態に係るコンソール３Ａは、制御部３１が実行する処理（記憶部３３Ａに記憶されているプログラム）が第一実施形態のものと異なっている。
【００６３】
具体的には、コンソール３Ａの制御部３１は、第一実施形態と同様に、異常ありと判定した場合に、所定の異常時動作を行う（本発明における異常時動作手段として機能する）ようになっている。
しかし、本実施形態においては、異常時動作として、下記（１）又は（２）を行うようになっている。
（１）異常ありと判定されたタイミングで生成されたフレーム画像を出力部に出力させない。
（２）異常ありと判定されたタイミングで生成されたフレーム画像を削除する。
なお、制御部３１が実行するその他の処理は、第一実施形態と同様である。
【００６４】
すなわち、本実施形態においては、図７に示したように、ステップＳ１の後のステップＳ２において、コンソール３が異常ありと判定した場合（ステップＳ２；Ｙｅｓ）は、フレーム画像を削除する又はフレーム画像を出力部に出力させない処理（ステップＳ４Ａ）を行ってからステップＳ３の処理（判定対象のフレーム画像のフレーム番号が撮影予定枚数と等しいか否かの判定）を行う。
コンソール３Ａがこのような制御を行うことにより、撮影装置２による蓄積可能信号のＯＮ（ｔ６、ｔ９、ｔ１２・・）、発生装置１による放射線照射（ｔ７、ｔ１０、ｔ１３・・）及び撮影装置２によるフレーム画像の生成が、異常が検出されてもされなくても撮影予定枚数のフレーム画像が生成されるまで繰り返し行われる。しかし、異常ありと判定されたフレーム画像が動画として表示されなくなる。
【００６５】
なお、コンソール３に、取得した放射線画像を解析する本発明における解析手段としての機能を備えるようにしてもよい。
その場合、異常ありと判定した場合の異常時動作として、異常ありと判定されたタイミングで生成された放射線画像の解析を行わないという動作も可能となる。
また、本実施形態においては、動画を解析診断ＷＳ１２０へ転送するまでにフレーム画像の削除等が行われていればよいため、必ずしも上記第一実施形態のように撮影装置２がフレーム画像を転送し次第、フレーム画像の取得及び異常有無の判定を行う必要は無く、時間を置いてからこれらの動作を行うようにしてもよい。
【００６６】
以上説明してきたように、本実施形態に係るシステム１００Ａが備えるコンソール３Ａは、フレーム画像を所定周期で繰り返し生成する撮影装置２から複数の放射線画像を取得し、取得した放射線画像の撮影時に生じた異常の有無を判定し、異常ありと判定した場合に、当該異常ありと判定されたタイミングで生成されたフレーム画像を削除する、又は当該フレーム画像を出力部に出力させないようになっている。
【００６７】
撮影した動画の中に放射線未照射や低線量の画像が混入すると、解析を行うことが困難になる、あるいは解析できてもその精度が下がってしまうという問題があった。
しかし、本実施形態に係る放射線画像撮影システム１００Ａを用いた撮影では、得られた動画の中から、放射線未照射や低線量の画像だけを省くことで、残ったフレームを用いて正確に解析を行うことができる。その結果、再撮影を行う必要がなくなる。
このため、第一実施形態と同様、動画撮影において、異常が発生した場合の被写体の被曝量を従来よりも抑えることができる。
【００６８】
＜第三実施形態＞
次に、本発明の第三実施形態について説明する。ここでは、第一実施形態と同様の構成には同一の符号を付し、その説明を省略する。
【００６９】
本実施形態の放射線画像撮影システム（以下システム１００Ｂ）は、コンソール３Ｂの動作が、第一実施形態に係るシステム１００と異なっている。
なお、コンソール３Ｂ以外の構成は、第一実施形態と同様である。
このため、本実施形態に係るコンソール３Ｂは、制御部３１が実行する処理（記憶部３３Ｂに記憶されているプログラム）が第一実施形態のものと異なっている。
【００７０】
具体的には、制御部３１は、ユーザーが発生装置１に行っている放射線の照射指示の有無を監視する機能を有している。
具体的には、発生装置１が撮影装置２へ入力している照射確認信号がＯＮになっているか否かを監視する（本発明における監視手段として機能する）ようになっている。
【００７１】
また、制御部３１は、第一実施形態と同様に、異常ありと判定した場合に、所定の異常時動作を行う（本発明における異常時動作手段として機能する）ようになっている。
【００７２】
また、制御部３１は、第一実施形態と同様に、放射線画像を取得する度に、当該放射線画像の撮影時に生じた異常の有無を判定する、本発明における判断機能として機能するものとなっている。しかし、本実施形態においては、異常の有無として、照射指示無しとなったタイミングが、これまでに撮影された放射線画像の枚数が撮影予定枚数に達する前であるか否か、又は撮影が開始されてからの時間が撮影予定期間に達する前であるか否かに基づいてユーザーによる撮影指示の中断の有無を判定するようになっている。
【００７３】
また、制御部３１は、第一実施形態と同様に、異常ありと判定した場合に、所定の異常時動作を行う（本発明における異常時動作手段として機能する）ようになっている。しかし、本実施形態においては、異常時動作として、最後に取得した放射線画像を削除するようになっている。
なお、制御部３１が実行するその他の処理は、第一実施形態と同様である。
【００７４】
すなわち、本実施形態においては、図８に示したように、ステップＳ１の後にステップＳ３の処理（判定対象のフレーム画像のフレーム番号が撮影予定枚数と等しいか否かの判定）を行う。ここで、コンソール３Ｂが、判定対象のフレーム画像のフレーム番号が撮影予定枚数と等しくない（フレーム番号が撮影予定枚数より小さい）と判断した場合（ステップＳ３；Ｎｏ）、発生装置１が撮影装置２へ入力している照射確認信号がＯＮになっているか否かを判断する（ステップＳ２Ａ）。ここで、照射指示信号がＯＮになっていないと判断した場合（ステップＳ２Ａ；Ｎｏ）は、撮影した最終フレームを削除する（ステップＳ４Ｂ）。
コンソール３Ｂがこのような制御を行うことにより、撮影の途中で曝射スイッチの二段目の操作が解除された場合、異常ありと判定された、すなわち撮影された最後のフレームフレーム画像が動画として表示されなくなる。
【００７５】
以上説明してきたように、システム１００Ｂが備えるコンソール３Ｂは、撮影予定枚数又は撮影予定期間を発生装置１に設定し、ユーザーが発生装置１に行っている放射線の照射指示の有無を監視し、照射指示無しとなったタイミングが、これまでに撮影されたフレーム画像の枚数が撮影予定枚数に達する前であるか否か、又は撮影が開始されてからの時間が撮影予定期間に達する前であるか否かに基づいてユーザーによる撮影指示の中断の有無を判定するようになっている。
【００７６】
撮影途中でユーザーが曝射スイッチ１２を離してしまい、撮影された複数のフレームのうち最後のフレームが放射線未照射や低線量の画像となってしまう場合がある。こうした画像が混入すると、解析を行うことが困難になる、あるいは解析できてもその精度が下がってしまうという問題があった。
しかし、本実施形態に係る放射線画像撮影システム１００Ａを用いた撮影では、得られた動画の中から、放射線未照射や低線量の画像となっている可能性の高い最終フレームだけを省くことで、残ったフレームを用いて正確に解析を行うことができる。その結果、再撮影を行う必要がなくなる。
このため、第一，第二実施形態と同様、動画撮影において、異常が発生した場合の被写体の被曝量を従来よりも抑えることができる。
【００７７】
＜第四実施形態＞
次に、本発明の第三実施形態について説明する。ここでは、第一実施形態と同様の構成には同一の符号を付し、その説明を省略する。
【００７８】
第一実施形態のシステム１００は、コンソール３が本発明における撮影制御装置をなすものであったが、本実施形態の放射線画像撮影システム（以下システム１００Ｃ）は、コンソール３Ｃが撮影制御装置としての機能を有しておらず、その機能を放射線画像撮影装置（以下撮影装置２Ａ）が代わりに有している。
このため、本実施形態に係る撮影装置２Ａは、撮影側制御部２１が実行する処理（撮影側記憶部２５Ａに記憶されているプログラム）が第一実施形態のものと異なっている。
【００７９】
具体的には、撮影装置２Ａの撮影側制御部２１は、読み出し部２３が電荷を読み出す度に、当該読出しにより生成される電荷の蓄積時に生じた異常の有無を判定する（本発明における判定手段として機能する）ようになっている。
また、撮影側制御部２１は、異常ありと判定した場合に、所定の異常時動作を行う（本発明における異常時動作手段として機能する）ようになっている。
具体的には、上記第一〜第三実施形態で説明した各種異常時動作のうちのいずれかを、自身（撮影装置２Ａ）、発生装置１又はコンソール３に行わせる。
【００８０】
なお、本実施形態のように、異常の有無を撮影装置２Ａで判定する場合、フレーム画像を生成する前に異常の有無を判定することができるため、異常ありと判定した場合に、例えば当該異常ありと判定されたタイミングで蓄積された電荷に基づく放射線画像を生成させないようにしてもよい。
また、撮影装置２Ａの画像生成機能を利用して、異常ありと判定したフレーム画像をその前又は後のフレーム画像を用いて補間するようにしてもよい。
【００８１】
以上説明してきたように、本実施形態に係るシステム１００Ｃが備える撮影装置２Ａは、受けた放射線の線量に応じた電荷を生成する放射線検出素子が、二次元状に複数配列された放射線検出部２２を備え、放射線検出素子への電荷の蓄積及び放射線検出素子に蓄積された電荷の読み出しを所定周期で交互に繰り返し、読み出した電荷の蓄積時に生じた異常の有無を判定し、異常ありと判定した場合に、上記第一〜第三実施形態で説明した異常時動作のうちのいずれかを行うようになっている。
このため、第一〜第三実施形態と同様、動画撮影において、異常が発生した場合の被写体の被曝量を従来よりも抑えることができる。
【符号の説明】
【００８２】
１００，１００Ａ，１００Ｂ，１００Ｃ  放射線画像撮影システム
１  放射線発生装置
１１  ジェネレーター
１１ａ  発生側制御部
１１ｂ  通信部
１１ｃ  発生側記憶部
１１ｄ  高電圧発生部
１２  曝射スイッチ
１３  放射線源
１４  放射線発生コントローラー
１５  インターフェースユニット
２，２Ａ  放射線画像撮影装置
２１  撮影側制御部
２２  放射線検出部
２３  読出し部
２４  通信部
２５，２５Ａ  撮影側記憶部
２６  バス
３，３Ａ，３Ｂ  コンソール（撮影制御装置）
３Ｃ  コンソール
３１  制御部
３２  通信部
３３，３３Ａ，３３Ｂ  記憶部
３４  表示部
３５  操作部
３６  バス
４  アクセスポイント
５  クレードル
６Ａ，６Ｂ  撮影台
１１０  病院情報システム
１２０  放射線科情報システム
１３０  画像保存通信システム
１４０  解析診断ワークステーション
１５０  クライアント端末
【図１】
2020048864.tif 000003
【図２】
2020048864.tif 000004
【図３】
2020048864.tif 000005
【図４】
2020048864.tif 000006
【図５】
2020048864.tif 000007
【図６】
2020048864.tif 000008
【図７】
2020048864.tif 000009
【図８】
2020048864.tif 000010